(57)【要約】      （修正有）【課題】複数の接地用リード線を低廉な構成によって接続可能とする集合端子台装置を提供する。【解決手段】リード線を導電金具を介して相互接続する端子台６を複数列設してなる連結端子台３と、該連結端子台の両端部に配設されて連結端子台を金属製の据付部２に固定する固定具４，５とを備える集合端子台装置１にあって、一方の固定具に、該固定具と隣接する端子台の導電金具と圧接するとともに、連結端子台を据付部に固定した状態で据付部と圧接し、前記導電金具と据付部とを電気的に接続するアース金具２９を配設する。【選択図】図２
2014056720.tif 000002
【特許請求の範囲】
【請求項１】
リード線を導電金具を介して相互接続する端子台を複数列設してなる連結端子台と、該連結端子台の両端部に配設されて連結端子台を金属製の据付部に固定する固定具とを備える集合端子台装置であって、
固定具の一方は、該固定具と隣接する端子台の導電金具と圧接するとともに、連結端子台を据付部に固定した状態で据付部と圧接し、前記導電金具と据付部とを電気的に接続するアース金具を備えることを特徴とする集合端子台装置。
【請求項２】
アース金具を備える固定具は、隣接する端子台と嵌合することによって連結端子台の端部に連結されるものであって、隣接する端子台の方向にアース金具を突出させており、
前記固定具と隣接する端子台は、前記固定具と対向する側に導電金具を露出させるとともに、該導電金具に、アース金具と密嵌する接地用開口部を備えることを特徴とする請求項１に記載の集合端子台装置。
【請求項３】
連結端子台を構成する各端子台が、同一構成を有していることを特徴とする請求項１又は請求項２に記載の集合端子台装置。
【請求項４】
据付部は、上端に幅方向に突出する連係板座を備える据付レールであり、
アース金具を備える固定具は、アース金具を備える固定具本体と、挟圧金具とを備えてなり、固定具本体と挟圧金具とをネジで締結してアース金具と挟圧金具との間に連係板座を挟持することによって据付レールに固定されるものであることを特徴とする請求項１乃至請求項３のいずれか１項に記載の集合端子台装置。
【請求項５】
アース金具を備える固定具は平坦な据付部の上に螺着されるものであり、
アース金具は、固定具本体の底部に露出して、固定具を据付部に螺着した状態で据付部と圧接する底辺部を備えることを特徴とする請求項１乃至請求項３のいずれか１項に記載の集合端子台装置。
【請求項６】
リード線を導電金具を介して相互接続する端子台を複数列設してなる連結端子台の端部に連結され、金属製の据付部に固定されることにより連結端子台を据付部に固定する固定具であって、
連結端子台の端部に連結された状態で、連結端子台側に突出して連結端子台の端部に位置する端子台の導電金具に圧接するとともに、据付部に固定された状態で据付部と圧接し、前記導電金具と据付部とを電気的に接続するよう構成されたことを特徴とする固定具。
【発明の詳細な説明】
【技術分野】
【０００１】
本発明は、集合端子台装置の接地構造に関する。
【背景技術】
【０００２】
配電盤や配電箱等に配設されて、多数のリード線を所要の組合せで相互接続する集合端子台装置が知られている。集合端子台装置は、リード線を相互接続する板状の端子台を厚み方向に複数連結してなる連結端子台を本体とし、連結端子台の両端には、連結端子台を対象物に固定する固定具が配設される。集合端子台装置の多くは、固定具によって連結端子台を据付レール上に固定した状態で、配電盤や配電箱等に設置される（例えば、特許文献１）。また、集合端子台装置の中には、固定具を介して配電盤や配電箱等に連結端子台を直接固定するタイプも知られている（例えば、特許文献２）。
【０００３】
また、こうした集合端子台装置にあって、特許文献２に記載の構成のように、連結端子台の両端に配設される固定具に、接地用リード線を接続するようにしたものが知られている。また、連結端子台を構成する端子台の中に、据付レールと当接して接地されるアース端子台を組み込んでおき、該アース端子台に接地用リード線を接続するようにしたものも知られている（例えば、特許文献３）。
【先行技術文献】
【特許文献】
【０００４】
【特許文献１】特開２００７−２６９９１号公報
【特許文献２】特開２００９−１３９０９４号公報
【特許文献３】特開２００７−３５５９０号公報
【発明の概要】
【発明が解決しようとする課題】
【０００５】
上記のように、固定具に接地用リード線を接続する構成では、固定具に接地用リード線を複数接続するのが難しいという問題がある。一方で、接地用リード線をアース端子台に接続する構成では接地用リード線を複数接続できるものの、アース端子台は、通常の端子台とは異なる複雑な構造を持つため、コスト高となってしまう。
【０００６】
本発明は、かかる現状に鑑みてなされたものであり、複数の接地用リード線を低廉な構成によって接続可能とする集合端子台装置の提供を目的とする。
【課題を解決するための手段】
【０００７】
本発明は、固定具の一方は、該固定具と隣接する端子台の導電金具と圧接するとともに、連結端子台を据付部に固定した状態で据付部と圧接し、前記導電金具と据付部とを電気的に接続するアース金具を備えることを特徴とする集合端子台装置である。ここで「据付部」とは、連結端子台を据付レールに固定するタイプの集合端子台装置では据付レールに相当する。また、連結端子台を配電盤や配電箱等に直接固定するタイプの集合端子台装置では、配電盤や配電箱等に設けられた、集合端子台装置を設置するための台座部分が「据付部」に相当する。
【０００８】
かかる構成にあっては、固定具のアース金具が、隣接する端子台の導電金具と据付部とを短絡することにより、当該端子台の導電金具が接地されるため、かかる端子台には、既知のアース端子台同様に、接地用リード線を複数接続することができる。従来のアース端子台は、据付部（据付レール）と電気的に直接接続するため、通常の端子台と比べて構造が複雑であるが、本発明にあって、接地用リード線を接続する端子台は、導電金具にアース金具と圧接する部位が形成されているだけでよいため、既存の導電金具の形状を多少変形するだけで足り、複雑な構造は必要ない。また、固定具は本来的に据付部に固定されるものであるから、固定具を据付部に固定した状態で、アース金具を据付部に圧接させるようにするのは簡単である。このため、本発明によれば、アース端子台を組み込んだ集合端子台装置と同様の機能を、簡単な構成によって低廉に実現可能となる。
【０００９】
本発明にあって、アース金具を備える固定具は、隣接する端子台と嵌合することによって連結端子台の端部に連結されるものであって、隣接する端子台の方向にアース金具を突出させており、前記固定具と隣接する端子台は、前記固定具と対向する側に導電金具を露出させるとともに、該導電金具に、アース金具と密嵌する接地用開口部を備える構成が提案される。
【００１０】
かかる構成にあっては、固定具のアース金具と、隣接する端子台の導電金具とを簡単な構成によって圧接させることができる。また、固定具と端子台を嵌合させるだけで、導電金具とアース金具を圧接させることができるため、固定具と端子台の組付作業も容易となる。
【００１１】
また、本発明にあって、連結端子台を構成する各端子台が、同一構成を有していることが提案される。かかる構成にあっては、アース金具を備える固定具と隣接する端子台と、その他の端子台とを同じ構成とすることで、集合端子台装置の部品点数の削減が可能となる。なお、上述のように、固定金具のアース金具と圧接するための構造は簡単なもので済むため、アース金具と圧接しない端子台に同様の構造を設けたとしても、部品点数削減による利点が損なわれることはない。
【００１２】
本発明の具体的な構成としては、据付部は、上端に幅方向に突出する連係板座を備える据付レールであり、アース金具を備える固定具は、アース金具を備える固定具本体と、挟圧金具とを備えてなり、固定具本体と挟圧金具とをネジで締結してアース金具と挟圧金具との間に連係板座を挟持することによって据付レールに固定されるものである構成が提案される。かかる構成によれば、据付レールに固定するタイプの集合端子台装置に、本発明を適切に採用できる。
【００１３】
また、本発明の具体的な構成としては、アース金具を備える固定具は平坦な据付部の上に螺着されるものであり、アース金具は、固定具本体の底部に露出して、固定具を据付部に螺着した状態で据付部と圧接する底辺部を備える構成も提案される。かかる構成によれば、配電盤や配電箱等に直接固定するタイプの集合端子台装置に、本発明を適切に採用できる。
【００１４】
また、本発明の別の態様は、リード線を導電金具を介して相互接続する端子台を複数列設してなる連結端子台の端部に連結され、金属製の据付部に固定されることにより連結端子台を据付部に固定する固定具であって、連結端子台の端部に連結された状態で、連結端子台側に突出して連結端子台の端部に位置する端子台の導電金具に圧接するとともに、据付部に固定された状態で据付部と圧接し、前記導電金具と据付部とを電気的に接続するよう構成されたことを特徴とする固定具である。かかる固定具を用いれば、簡単な構成によって連結端子台の端部に位置する端子台を接地できるから、既知のアース端子台と同様の機能を低廉に実現できる。
【発明の効果】
【００１５】
以上に述べたように、本発明によれば、従来構成に比べて、複数の接地用リード線を低廉な構成によって接続することが可能となる。
【図面の簡単な説明】
【００１６】
【図１】実施例１の集合端子台装置１の斜視図である。
【図２】実施例１の集合端子台装置１の分解斜視図である。
【図３】端子台６の斜視図である。
【図４】端子台６の分解斜視図である。
【図５】接地用固定具４の斜視図である。
【図６】接地用固定具４の分解斜視図である。
【図７】固定具本体２５の分解斜視図である。
【図８】固定具本体２５の背面側斜視図であり、（ａ）はアース金具２９の分離状態を示し、（ｂ）はアース金具２９の装着状態を示す。
【図９】端子台６と接地用固定具４との連結態様を示す斜視図である。
【図１０】接地用固定具４を据付レール（据付部）２に固定する方法を示す説明図である。
【図１１】連結端子台３を据付レール２に固定する方法を示す説明図である。
【図１２】端子台６の接地態様を示す説明図である。
【図１３】実施例２の集合端子台装置１ａの斜視図である。
【図１４】接地用固定具４ａの分解斜視図である。
【図１５】実施例２の集合端子台装置１ａを台座（据付部）５０に取り付ける方法を示す説明図である。
【発明を実施するための形態】
【００１７】
本発明の実施形態を、以下の実施例に従って説明する。
【実施例１】
【００１８】
本実施例の集合端子台装置１は、図１，２に示すように、金属製の据付レール（据付部）２に装着するタイプであり、端子台６を複数列設してなる連結端子台３と、該連結端子台３に配設されて、連結端子台３を据付レール２に固定する固定具４，５とを備え、据付レール２に固定した状態で配電盤や配電箱等に設置される。
【００１９】
据付レール２は、図１，２に示すように、両側部に立設された立ち上がり側壁１０，１０の上端に、幅方向内側へ突出する連係板座１１，１１を長手方向に沿って形成してなり、連結端子台３の底部の両側部位を連係板座１１，１１の上に載せるとともに、連結端子台３の底部の中央部位を連係板座１１の間に形成された保持溝１２に内嵌保持するものである。
【００２０】
本実施例にあって、連結端子台３を構成する端子台６は、全て同一構成をなしている。これらの端子台６は、図３，４に示すように、リード線の端部をバネ力で保持するバネ式端子台である。具体的には、端子台６は、ポリアミド等の絶縁性樹脂材料によって板状に形成された左右対称の絶縁性基板１５を主体部とする。この絶縁性基板１５には、正面側に開放する装着溝部１６が形成されており、該装着溝部１６に導電金具１７と板バネ１８とが装着される。絶縁性基板１５の上部には、装着溝部１６と連通するリード線挿入孔２０が左右両側に２つずつ形成されており、圧着端子を取り付けたリード線の端部を各リード線挿入孔２０の奥まで挿入すると、導電金具１７と板バネ１８の間で圧着端子が挟持され、導電金具１７を介して各リード線が相互接続されるよう構成されている。また、各リード線挿入孔２０の外側には、装着溝部１６と連通するドライバー挿入孔２１が形成されており、ドライバー挿入孔２１にドライバーを挿入し、ドライバーの先端で板バネ１８を撓ませることにより、板バネ１８に挟持されたリード線を引き抜き得るよう構成されている。また、絶縁性基板１５の正面側には、連結用孔部２２が形成される。この連結用孔部２２は、端子台６同士を厚み方向に連結するのに用いられ、また、端子台６の正面側に固定具４を連結するのにも用いられる。そして、本実施例にあっては、導電金具１７の正面側に、横長矩形状の接地用開口部２３が形成される。この接地用開口部２３は端子台６の正面側に露出しており、導電金具１７は、かかる接地用開口部２３において、固定具４のアース金具２９と圧接し得るよう構成される。なお、かかる端子台６は、導電金具１７に形成された接地用開口部２３以外の構成は公知であるため、公知の構成についての詳細な説明は省略する。
【００２１】
固定具４，５は、図１，２に示すように、連結端子台３の端部に連結されて、据付レール２に固定されることにより、連結端子台３を据付レール２の上に固定するものである。この固定具４，５のうち、導電金具１７が露出する端子台６の正面側に連結される固定具４は、該固定具４に隣接する端子台６と据付レール２とを電気的に接続する接地用固定具を構成する。すなわち、かかる接地用固定具４は、本発明に係る「アース金具を備える固定具」に相当するものである。一方、端子台６の背面側に連結される固定具５は、連結端子台３を据付レール２に固定するためだけに用いられる通常固定具５である。
【００２２】
接地用固定具４は、図５，６に示すように、連結端子台３の端部に連結される固定具本体２５と、固定具本体２５の下方に配置されて固定ネジ２７によって固定具本体と締結される挟圧金具２６とを備えてなる。固定具本体２５は、図７に示すように、樹脂製のベース部材２８とアース金具２９とで構成される。ベース部材２８は、肉厚板状の側板部３２と、該側板部３２の下部から正面側に延出する固定部３３とからなる。側板部３２は、隣接する端子台６の正面側を覆うようにして連結するものであり、図８に示すように、側板部３２の、端子台６と対向する側には、端子台６の連結用孔部２２と嵌合する連結突起３４が形成される。また、側板部３２の、端子台６の接地用開口部２３と対向する位置には、アース金具２９が貫通することとなる前後方向の金具貫通孔３５が形成される。一方、固定部３３は、挟圧金具２６との間で据付レール２を挟持するものであり、その中央部には、固定ネジ２７が貫通するネジ貫通孔３７が上下に形成される。
【００２３】
アース金具２９は、図７，８に示すように、鋼板を側面視略コ字状に屈曲加工してなるものであり、ベース部材２８の固定部３３に外嵌するようにベース部材２８に組み付けられる。具体的には、アース金具２９は、固定部３３の正面に被着する側辺部３８と、固定部３３の上面に被着する上辺部３９と、固定部３３の底面に被着する底辺部４０とを備えている。アース金具２９の上辺部３９と底辺部４０には、固定部３３のネジ貫通孔３７と重なる位置にネジ貫通孔４１，４１が形成される。そして、上辺部３９には、図８に示すように、ベース部材２８の金具貫通孔３５を貫通し、その先端を側板部３２の背面側（端子台６側）に突出させる差込部４３が形成される。この差込部４３は、平行に延出する左右一対の杆状部４３ａ，４３ａによって構成される。この差込部４３は、図９に示すように、隣接する端子台６の導電金具１７の接地用開口部２３と対向する位置に突出しており、側板部３２の連結突起３４を端子台６の連結用孔部２２に嵌合させて、接地用固定具４を端子台６の正面側に連結すると、差込部４３の先端部が接地用開口部２３に内嵌するよう構成されている。ここで、差込部４３の幅寸法は、接地用開口部２３の幅寸法よりも若干広く設計されており、差込部４３は、接地用開口部２３に内嵌する時に杆状部４３ａを内側に撓ませることにより、杆状部４３ａを接地用開口部２３の内周縁に圧接した密嵌状態となるよう構成されている。
【００２４】
挟圧金具２６は、鋼板片を屈曲加工してなるものであり、図５，６に示すように、固定部３３の底部と対向する底板部４５と、該底板部４５の両側に形成される挟圧爪部４６と、底板部４５の中央部前縁から上方に延出して、アース金具２９の側辺部３８と当接する前板部４７とを備えている。挟圧金具２６の底板部４５には、固定具本体２５のネジ貫通孔３７，４１と対向する位置にネジ孔４８が形成されており、図５に示すように、固定具本体２５の固定部３３の底部に挟圧金具２６を配置し、固定ネジ２７をネジ貫通孔３７，４１に挿通して、挟圧金具２６のネジ孔４８と螺合させることにより、固定具本体２５と挟圧金具２６を締結し得るよう構成されている。
【００２５】
接地用固定具４を据付レール２に固定する場合は、図１０に示すように、固定具本体２５の両側部を据付レール２の連係板座１１，１１の上に載せるとともに、両挟圧爪部４６，４６が連係板座１１，１１の下側に位置するように挟圧金具２６を固定具本体２５の下方に配置し、固定具本体２５と挟圧金具２６を固定ネジ２７によって締結する。かかる締結状態では、固定ネジ２７の締結力によって、固定具本体２５と挟圧金具２６の間に連係板座１１が挟持され、これにより、接地用固定具４が据付レール２に固定される。
【００２６】
一方、接地用固定具４に対して、連結端子台３の反対側に配設される通常固定具５は、接地用固定具４からアース金具２９を除いた構成を有している。すなわち、通常固定具５は、接地用固定具４のベース部材２８のみからなる固定具本体と、挟圧金具２６とによって構成される。かかる通常固定具５は、図１１に示すように、接地用固定具４同様に、固定具本体（ベース部材）２８と挟圧金具２６とを固定ネジ２７で締結し、固定具本体２８と挟圧金具２６の間に連係板座１１を挟持することによって、据付レール２に固定される。
【００２７】
以上の構成によれば、図１１に示すように、固定具本体と挟圧金具２６とを分離、若しくは緩く締結した状態で、連結端子台３を据付レール２の上に設置し、かかる状態で固定ネジ２７を締め付けて各固定具４，５を据付レール２に固定すれば、連結端子台３を据付レール２に固定できる。このように、連結端子台３を据付レール２に固定した状態では、図１２に示すように、接地用固定具４のアース金具２９が、側辺部３８の両側下縁部分で、据付レール２の連係板座１１と圧接することとなり、これにより、アース金具２９を介して、隣接する端子台６の導電金具１７と据付レール２とが電気的に接続される。このように、本実施例の集合端子台装置１は、据付レール２に固定した状態で、接地用固定具４に隣接する端子台６の導電金具１７が、据付レール２と電気的に接続されるため、既知のアース端子台同様に、かかる端子台６に接地用リード線を接続することで、当該リード線を接地可能となる。
【００２８】
以上のように、本実施例の集合端子台装置１では、接地用固定具４に設けられたアース金具２９が、据付レール２と、隣接する端子台６の導電金具１７とを電気的に接続するため、接地用固定具４に隣接する端子台６の各リード線挿入孔２０に、接地用リード線を夫々接続可能となる。ここで、本実施例にあって、接地用リード線を接続する端子台６を接地するために設けられた構成は、端子台６については、導電金具１７に形成した接地用開口部２３のみである。また、接地用固定具４については、固定具本体２５に設けたアース金具２９のみであり、その他の構成は、通常固定具５と共通している。このため、本実施例では、端子台６の導電金具１７に接地用開口部２３を形成し、接地用固定具４にアース金具２９を配設するだけの簡単な構成によって、アース端子台を備える従来の集合端子台装置と同様の機能を実現できるという利点がある。
【００２９】
また、本実施例では、接地用固定具４を、端子台６の導電金具１７が露出する側に嵌合させるとともに、アース金具２９の差込部４３を当該端子台６の方向に突出させて、接地用固定具４と端子台６を嵌合させた時に、差込部４３が接地用開口部２３に密嵌するように構成しているから、接地用固定具４を連結端子台３の端部の端子台６に連結するだけで、当該端子台６の導電金具１７とアース金具２９とを電気的に接続できるという利点がある。
【００３０】
また、本実施例にあっては、接地用固定具４と隣接する端子台６以外にも、接地用開口部２３が形成されており、連結端子台３を構成する全ての端子台６が同一構成を有している。このため、本実施例では、接地用リード線を接続する端子台と、その他の端子台とを共通部品化し、集合端子台装置の製造コストを削減できるという利点がある。
【実施例２】
【００３１】
本実施例の集合端子台装置１ａは、図１３に示すように、固定具４ａ，５ａによって、配電盤や配電箱等に設けられる金属製の台座５０（据付部）に直接固定するタイプである。本実施例の集合端子台装置１ａは、上記実施例１から、固定具４，５の挟圧金具２６を除去しただけの構成であり、連結端子台３等のその他の構成は実施例１と同じである。すなわち、本実施例に係る接地用固定具４ａは、図１４に示すように、ベース部材２８とアース金具２９とからなる固定具本体２５のみによって構成される。また、通常固定具５ａは、ベース部材２８のみによって構成される。なお、本実施例にあって、実施例１と構成の共通する部分については、図中で符号を共通させて説明を省略する。
【００３２】
本実施例の集合端子台装置１ａを設置する台座５０は、図１５に示すように、配電盤や配電箱等に設けられた平坦な金属板であり、集合端子台装置１ａは、固定ネジ２７を固定具４ａ，５ａに挿通し、台座５０に形成されたネジ孔５１に螺着することによって、台座５０の上に固定される。集合端子台装置１ａを台座５０に固定した状態では、
アース金具２９が、接地用固定具４の底部に露出する底辺部４０を台座５０の表面に圧接することとなり、これにより、アース金具２９を介して、隣接する端子台６の導電金具１７と台座５０とが電気的に接続される。このように、本発明の集合端子台装置は、据付レールを介さずに、対象物に直接固定するタイプにも適用可能である。
【００３３】
なお、本発明の集合端子台装置は、上記実施例の形態に限らず本発明の要旨を逸脱しない範囲内において種々変更を加えることができる。例えば、上記実施例では、端子台が、リード線の端部をバネ力で保持するバネ式端子台であったが、本発明に係る端子台にあって、リード線の接続方式は特に限定されるものではなく、例えば、リード線の端部をネジ止めする端子台を採用することもできる。また、端子台の導電金具は複数部材で構成されていてもかまわない。また、上記実施例に係る固定具は、据付部にネジ止めするものであるが、本発明に係る固定具はネジ以外の手段によって据付部に固定するものであってもよい。上記実施例に係る固定具本体は、樹脂製のベース部材とアース金具とによって構成されているが、本発明に係る固定具は全て金属で構成することもできる。また、上記実施例では、アース金具が一片の金属片によって構成されているが、本発明に係るアース金具は、複数の金属部材によって構成することもできる。例えば、実施例１では、図１２に示すように、単体の金属片であるアース金具２９が、導電金具１７と据付レール２とを短絡しているが、アース金具２９を据付レール２に当接させず、挟圧金具２６を介してアース金具２９と据付レール２を電気的に接続するようにしてもよい。かかる構成とした場合は、導電金具１７と据付レール２が、アース金具２９と挟圧金具２６の二部材によって短絡されるから、挟圧金具２６が本発明に係るアース金具に含まれることとなる。また、同様に、実施例２では、アース金具２９を台座５０に当接させず、金属製の固定ネジ２７を用いてアース金具２９と台座５０とを電気的に接続するようにしてもよい。かかる構成とした場合は、導電金具１７と台座５０が、アース金具２９と固定ネジ２７の二部材によって短絡されるから、固定ネジ２７が本発明に係るアース金具に含まれることとなる。
【符号の説明】
【００３４】
１，１ａ  集合端子台装置
２  据付レール（据付部）
３  連結端子台
４，４ａ  接地用固定具（固定具）
５，５ａ  通常固定具（固定具）
６  端子台
１０  立ち上がり側壁
１１  連係板座
１２  保持溝
１５  絶縁性基板
１６  装着溝部
１７  導電金具
１８  板バネ
２０  リード線挿入孔
２１  ドライバー挿入孔
２２  連結用孔部
２３  接地用開口部
２５  固定具本体
２６  挟圧金具
２７  固定ネジ
２８  ベース部材
２９  アース金具
３２  側板部
３３  固定部
３４  連結突起
３５  金具貫通孔
３７  ネジ貫通孔
３８  側辺部
３９  上辺部
４０  底辺部
４１  ネジ貫通孔
４３  差込部
４３ａ  杆状部
４５  底板部
４６  挟圧爪部
４７  前板部
４８  ネジ孔
５０  台座（据付部）
５１  ネジ孔
【図１】
2014056720.tif 000003
【図２】
2014056720.tif 000004
【図３】
2014056720.tif 000005
【図４】
2014056720.tif 000006
【図５】
2014056720.tif 000007
【図６】
2014056720.tif 000008
【図７】
2014056720.tif 000009
【図８】
2014056720.tif 000010
【図９】
2014056720.tif 000011
【図１０】
2014056720.tif 000012
【図１１】
2014056720.tif 000013
【図１２】
2014056720.tif 000014
【図１３】
2014056720.tif 000015
【図１４】
2014056720.tif 000016
【図１５】
2014056720.tif 000017